(57)【要約】【課題】  従来の光沢むら抑制手法は、印刷に係る装置の大型化や、専用の色材及び印刷媒体の開発を必要とする。【解決手段】  本発明の色変換処理装置は以下の構成を備える。  すなわち、印刷装置の色域を取得する色域取得手段と、前記色域取得手段により取得された色域に基づき、入力色信号を出力色信号に変換する色変換処理手段とを有し、前記色域は、光沢むらを抑制する抑制条件に基づき限定された色域であることを特徴とする。【選択図】  図６
2008301344.tif 000002
【特許請求の範囲】
【請求項１】
印刷装置の色域を取得する色域取得手段と、
前記色域取得手段により取得された色域に基づき、入力色信号を出力色信号に変換する色変換処理手段とを有し、
前記色域は、光沢むらを抑制する抑制条件に基づき限定された色域であることを特徴とする色変換処理装置。
【請求項２】
前記色域は、前記抑制条件に基づき、ハイライト部、シャドウ部を含まないように限定されることを特徴とする請求項１に記載の色変換処理装置。
【請求項３】
前記色域は、前記抑制条件に基づき、高彩度部を含まないように限定されることを特徴とする請求項２に記載の色変換処理装置。
【請求項４】
前記色域は、前記抑制条件のパラメータが小さいほど、限定される領域が大きくなることを特徴とする請求項１に記載の色変換処理装置。
【請求項５】
前記抑制条件は、前記色域のハイライト部、シャドウ部、高彩度部においてそれぞれ設定されることを特徴とする請求項１に記載の色変換処理装置。
【請求項６】
印刷条件を設定する印刷条件設定手段とを更に有し、
前記色域は、前記印刷条件設定手段により設定された印刷条件に応じて取得されることを特徴とする請求項１乃至請求項５のいずれか１項に記載の色変換処理装置。
【請求項７】
前記抑制条件および前記印刷条件は、ユーザインタフェースを介してユーザにより入力されることを特徴とする請求項６に記載の色変換処理装置。
【請求項８】
コンピュータ上で実行されることにより、該コンピュータが請求項１乃至請求項７のいずれか１項に記載の色変換処理装置を実現するように機能させることを特徴とするコンピュータ可読のプログラム。
【請求項９】
請求項８に記載のプログラムを記録したことを特徴とする記録媒体。
【請求項１０】
印刷装置の色域を取得する色域取得工程と、
前記色域取得工程により取得された色域に基づき、入力色信号を出力色信号に変換する色変換処理工程とを有し、
前記色域は、光沢むらを抑制する抑制条件に基づき限定された色域であることを特徴とする色変換処理方法。
【請求項１１】
印刷装置の色域を取得する色域取得手段と、
光沢むらを抑制する抑制条件を取得する抑制条件取得手段と、
前記抑制条件に基づき、前記色域を修正する修正手段と、
前記修正手段により修正された色域に基づき、入力色信号を出力色信号に変換する色変換テーブルを作成するテーブル作成手段と
を有することを特徴とする色変換テーブル作成装置。
【請求項１２】
前記色域は、前記抑制条件に基づき、ハイライト部、シャドウ部を含まないように限定されることを特徴とする請求項１１に記載の色変換テーブル作成装置。
【請求項１３】
前記色域は、前記抑制条件に基づき、高彩度部を含まないように限定されることを特徴とする請求項１２に記載の色変換テーブル作成装置。
【請求項１４】
前記色域は、前記抑制条件のパラメータが小さいほど、限定される領域が大きくなることを特徴とする請求項１１に記載の色変換テーブル作成装置。
【請求項１５】
前記抑制条件は、前記色域のハイライト部、シャドウ部、高彩度部においてそれぞれ設定されることを特徴とする請求項１１に記載の色変換テーブル作成装置。
【請求項１６】
印刷条件を設定する印刷条件設定手段とを更に有し、
前記色域は、前記印刷条件設定手段により設定された印刷条件に応じて取得されることを特徴とする請求項１１乃至請求項１５に記載の色変換テーブル作成装置。
【請求項１７】
前記抑制条件および前記印刷条件は、ユーザインタフェースを介してユーザにより入力されることを特徴とする請求項１６に記載の色変換テーブル作成装置。
【請求項１８】
コンピュータ上で実行されることにより、該コンピュータが請求項１１乃至請求項１７のいずれか１項に記載の色変換テーブル作成装置を実現するように機能させることを特徴とするコンピュータ可読のプログラム。
【請求項１９】
請求項１８に記載のプログラムを記録したことを特徴とする記録媒体。
【請求項２０】
印刷装置の色域を取得する色域取得工程と、
光沢むらを抑制する抑制条件を取得する抑制条件取得工程と、
前記抑制条件に基づき、前記色域を修正する修正工程と、
前記修正工程により修正された色域に基づき、入力色信号を出力色信号に変換する色変換テーブルを作成するテーブル作成工程と
を有することを特徴とする色変換テーブル作成方法。
【発明の詳細な説明】
【技術分野】
【０００１】
本発明は、入力色信号を出力色信号に変換する色変換処理装置および方法と、その色変換テーブル作成装置および方法に関する。
【背景技術】
【０００２】
印刷装置を用いて印刷した印刷物では、印刷物表面における光の反射率の差異により、印刷物において光沢感に差が生じる。この光沢感の差により、印刷物の光沢にむらが生じることが知られている。具体的には、印刷物中に光沢感の高い領域と低い領域とが混在することで、印刷物における画像の一部が浮き出るように観察されてしまう、若しくは、画像の輪郭に沿って強い反射光が観察されてしまう。
【０００３】
ここで、光沢むらを抑制する方法として、印刷物表面における光の反射率の差異を減少させる方法が複数提案されている。提案されている方法は、以下に示す方法１乃至６に大別することができる。方法１では、印刷物全面に無色透明な色材を印刷する（特許文献１）。方法２では、印刷媒体上で印刷されていない領域に、無色透明な色材または淡色色材を印刷する（特許文献２）。方法３では、印刷後に印刷物の表面を平滑にする（または微細な凹凸をつける）（特許文献１）。方法４では、印刷後の印刷物に無色透明なフィルムを貼り付ける（特許文献３）。方法５では、光反射率の低い色材と光反射率の高い印刷媒体を用いて、印刷領域と非印刷領域との光反射率の差を少なくする（特許文献１）。方法６では、色材粒径を微細にすることで、色材の印刷媒体への浸透率を高める（特許文献１）。
【特許文献１】特開２００２−３０７７５５号公報
【特許文献２】特開２００５−９６１９４号公報
【特許文献３】特開２００１−３２８１６８号公報
【発明の開示】
【発明が解決しようとする課題】
【０００４】
しかしながら、上述した光沢むらの抑制方法１乃至６には、以下のような課題があり、印刷に係る装置の大型化や、専用の色材及び印刷媒体の開発を必要とする。方法１及び２では、無色の色材が必要となり、色材数が増加してしまう。方法３及び４では、印刷後に印刷媒体に対して処理を施す機構が必要となる。方法５及び６では、専用の色材及び印刷媒体が必要となる。
【０００５】
本発明は、印刷に係る装置の大型化や専用の色材及び印刷媒体を必要としない、光沢むらを抑制する色変換処理装置および方法の提供を目的とする。
【課題を解決するための手段】
【０００６】
本発明の色変換処理装置は以下の構成を備える。
【０００７】
すなわち、印刷装置の色域を取得する色域取得手段と、前記色域取得手段により取得された色域に基づき、入力色信号を出力色信号に変換する色変換処理手段とを有し、前記色域は、光沢むらを抑制する抑制条件に基づき限定された色域であることを特徴とする。
【０００８】
本発明の色変換処理方法は以下の構成を備える。
【０００９】
すなわち、印刷装置の色域を取得する色域取得工程と、前記色域取得手段により取得された色域に基づき、入力色信号を出力色信号に変換する色変換処理工程とを有し、前記色域は、光沢むらを抑制する抑制条件に基づき限定された色域であることを特徴とする。
【００１０】
本発明の色変換テーブル作成装置は以下の構成を備える。
【００１１】
すなわち、印刷装置の色域を取得する色域取得手段と、光沢むらを抑制する抑制条件を取得する抑制条件取得手段と、前記抑制条件に基づき、前記色域を修正する修正手段と、前記修正手段により修正された色域に基づき、入力色信号を出力色信号に変換する色変換テーブルを作成するテーブル作成手段とを有することを特徴とする。
【００１２】
本発明の色変換テーブル作成方法は以下の構成を備える。
【００１３】
すなわち、印刷装置の色域を取得する色域取得工程と、光沢むらを抑制する抑制条件を取得する抑制条件取得工程と、前記抑制条件に基づき、前記色域を修正する修正工程と、前記修正工程により修正された色域に基づき、入力色信号を出力色信号に変換する色変換テーブルを作成するテーブル作成工程とを有することを特徴とする。
【発明の効果】
【００１４】
本発明によれば、印刷に係る装置の大型化や専用の色材及び印刷媒体を必要とせずに、光沢むらを抑制する色変換処理装置および方法を提供することが可能となる。
【発明を実施するための最良の形態】
【００１５】
＜実施形態１＞
（色変換テーブルを利用した印刷システム）
まず、色変換テーブルを利用した印刷システムについて説明する。図４は、上記印刷システムの機能構成を示すブロック図である。上記印刷システムは、印刷装置であるカラープリンタ４０と、入力画像データの色信号を出力色信号である上記カラープリンタ４０の色信号に変換する画像処理装置４１とを有する。また、画像処理装置４１は、制御部４１０、入力部４１１、画像データ格納部４１２、色変換テーブル格納部４１３、色変換部４１４、プリンタ色信号格納部４１５、出力部４１６を含む。制御部４１０は、データの入出力や色信号変換の制御を行う。入力部４１１は、制御部４１０の指示に基づき、外部から画像データを入力して画像データ格納部４１２に格納する。また、入力部４１１は、制御部４１０の指示に基づき、外部から色変換テーブルを入力して色変換テーブル格納部４１３に格納する。画像データ格納部４１２は、入力部４１１が外部から入力した画像データを格納する。色変換テーブル格納部４１３は、入力部４１１が外部から入力した色変換テーブルを格納する。色変換部４１４は、制御部４１０の指示に基づき、色変換テーブル格納部４１３に格納された色変換テーブルを用いて、画像データ格納部４１２に格納された画像データの色信号をカラープリンタ４０の色信号に変換し、プリンタ色信号格納部４１５に格納する。プリンタ色信号格納部４１５は、色変換部４１４が変換したカラープリンタ４０の色信号を格納する。出力部４１６は、制御部４１０の指示に基づき、プリンタ色信号格納部４１５に格納された色信号をカラープリンタ４０に出力する。
【００１６】
画像データの色信号は、通常、Ｒ、Ｇ、Ｂの成分からなる。色変換部４１４は、画像データを構成するＲ、Ｇ、Ｂ色信号を、カラープリンタ４０で印刷したときに好適な色となるカラープリンタ４０の色信号Ｒ’、Ｇ’、Ｂ’に変換する。色変換テーブル格納部４１３に格納される色変換テーブルは、画像データを構成する入力色信号Ｒ、Ｇ、Ｂとカラープリンタ４０の色信号Ｒ’，Ｇ’，Ｂ’との対応関係が、あらかじめ決められて記憶されている。以降、入力色信号Ｒ、Ｇ、ＢをＲＧＢと、色信号Ｒ’、Ｇ’、Ｂ’をＲ’Ｂ’Ｇ‘と表記する。上記色変換テーブルは、色再現の目的や印刷媒体の特性を考慮して求められ、印刷媒体ごとに用意され、使用する印刷媒体に応じて切り替えて使用される。また、後述する色変換テーブル作成装置により作成された色変換テーブルと既存の色変換テーブルとの複数の色変換テーブルを色変換テーブル格納部４１３に格納しておき、後述する色域圧縮方針に応じて切り替えて使用されても良い。なお、上記色変換テーブルは、すべての入力色信号に対するカラープリンタの色信号を記憶しておいてもよいが、通常は記憶容量を減らすために間引された離散的な入力色信号に対するカラープリンタの色信号を記憶している。この場合、色変換テーブルが参照された時に、補間処理によって入力色信号に対応するカラープリンタの色信号を求める。上記色変換部４１４で変換された色信号Ｒ’、Ｇ’、Ｂ’をカラープリンタ４０に送信することで、好適な色の印刷がなされる。
【００１７】
（好適な色再現を実現するための色処理）
次に、本実施形態における好適な色再現を実現するための色処理について詳細に説明する。図１のブロック図は、好適な色再現を実現するための色信号変換処理の詳細を示す図である。色変換テーブルを用いてなされる上記色変換部４１４の色変換は、ターゲット色特性変換１０１と、色域圧縮変換１０２と、プリンタ色再現特性変換１０３を統合した色変換である。なお、上記カラープリンタ４０では、色分解処理１０４と、ハーフトーン処理１０５がなされ、最終的に印刷媒体上にドットを配置する／配置しないのドット制御信号に変換される。
【００１８】
ターゲット色特性変換１０１は、色再現の目標に応じて、入力色信号ＲＧＢを色彩値に変換する。色彩値としては、例えば、均等色空間としてよく知られているＣＩＥ１９７６Ｌ＊ａ＊ｂ＊色空間（以降、色彩値ＬＡＢ又はＬＡＢ値と表記する）を用いる。入力色信号ＲＧＢから色彩値ＬＡＢへの変換は、典型的には、離散的な入力色信号と当該色信号に対応した色彩値との対応関係を記述したターゲット色特性記述テーブルを用いて、公知の３Ｄルックアップテーブル法によって行う。なお、入力色信号ＲＧＢから色彩値ＬＡＢへの変換は、ルックアップテーブルのみを用いる手法に限られるものではなく、変換式を用いて行うこともある。ターゲット色特性記述テーブルや変換式は、色再現の目標毎に用意しておき、要求に応じて切り替える。例えば、色再現の目標が基準プリンタと同じ色を再現することであった場合は、当該基準プリンタの色特性が記述されたターゲット色特性記述テーブルを選択し、色再現の目標がｓＲＧＢ規格に準じた忠実再現であった場合は、ｓＲＧＢの変換式を選択する。尚、色彩値ＬＡＢは、ＣＩＥ１９７６Ｌ＊ａ＊ｂ＊色空間に限らず、ＣＩＥ１９７６Ｌ＊ｕ＊ｖ＊色空間等の他の均等色空間やカラーアピアランスモデル（ＣＡＭ）の色空間を利用しても良い。
【００１９】
色域圧縮変換１０２は、色域圧縮方針に応じて、ターゲット色特性変換１０１で変換された色彩値ＬＡＢを上記カラープリンタで再現できる色の色彩値（以降、色彩値Ｌ’Ａ’Ｂ’又はＬ’Ａ’Ｂ’値と表記する）に変換する。ターゲット色特性変換１０１で変換された色彩値ＬＡＢが全て上記カラープリンタで再現できる色であれば、すなわち、ターゲットの色域がカラープリンタの色域に包含される場合には、色域圧縮変換１０２を行わずに次の処理に進む。しかし、カラープリンタの色域外の色がターゲットの色域に含まれる場合は、公知の色域圧縮方法によってターゲット色特性変換１０１で変換された色彩値ＬＡＢを色彩値Ｌ’Ａ’Ｂ’に変換する。図２は、色域圧縮方法の一例を説明する模式図であり、ＬＡＢ色空間のＬＡ断面を示している。図２の線２０１の内部は、ターゲット色特性変換１０１で変換された色彩値が取り得る領域（以降、ターゲット色域とする）である。一方、線２０２の内部は、上記カラープリンタで再現できる色の色彩値が取り得る領域（以降、プリンタ色域とする）である。ここで、入力色彩値に対応する点を点Ｃｉ、Ｌ軸上の所定の点を点Ｏ、直線ＯＣｉと線２０１の交点を点Ｑｉ、直線ＯＣｉと線２０２の交点を点Ｑｏとする。上記入力色彩値は、色域圧縮方針に応じた変換テーブル（色域圧縮変換テーブル）又は関数によって線２０２の内部の点Ｃｏに対応する色彩値に変換される。図３は、上記色域圧縮変換テーブルによって表される特性の一例を示す模式図であり、入力色彩値と出力色彩値との対応関係を示している。図３（Ａ）の色域圧縮変換テーブルによれば、図２の線分ＯＰ上の点が示す色彩値はそのまま出力され、線分ＰＱｉ上の点Ｃｉが示す色彩値は、線分ＰＱｏ上の点Ｃｏが示す色彩値に変換される。この色域圧縮変換テーブルは、色域圧縮方針毎に用意しておき、要求に応じて切り替える。例えば、色差やコントラストを重視する場合は、図３（Ｂ）の色域圧縮変換テーブルを選択し、階調性を重視する場合は、図３（Ｃ）の色域圧縮変換テーブルを選択する。
【００２０】
プリンタ色再現特性変換１０３は、色域圧縮変換１０２で変換された色彩値Ｌ’Ａ’Ｂ’を上記カラープリンタの色信号Ｒ’Ｇ’Ｂ’に変換する。プリンタ色再現特性変換１０３は、離散的なプリンタ色信号と当該プリンタ色信号に対応した色彩値との対応関係を記述したプリンタ色再現特性記述テーブルを用いて、公知の３Ｄルックアップテーブル法によって行う。なお、プリンタ色再現特性記述テーブルは、後述する色分解テーブルやハーフトーンを決定した後、離散的なプリンタ色信号Ｒ’Ｇ’Ｂ’を印刷出力し、印刷された色を測定することで得られる。また、プリンタ色再現特性記述テーブルは、Ｎｅｕｇｅｂａｕｅｒ方程式等の理論式によって、離散的なプリンタ色信号Ｒ’Ｇ’Ｂ’に対応する色彩値Ｌ’Ａ’Ｂ’を計算することで取得してもよい。
【００２１】
色分解処理１０４は、プリンタ色再現特性変換１０３で変換された色信号Ｒ’Ｇ’Ｂ’をプリンタの色材量に関係する色材信号ＣＭＹＫに変換する。この変換は、色信号Ｒ’Ｇ’Ｂ’と色材信号ＣＭＹＫとの対応関係を記述した色分解テーブルを用いて、公知の３Ｄルックアップテーブル法によって行う。ここで、色分解テーブルは、普通紙、光沢紙などの印刷媒体の種類や、総色材量のレベル毎に用意しておき、要求に応じて切り替える。
【００２２】
ハーフトーン処理１０５は、公知のハーフトーンを用いて、色分解処理１０４で変換された色材信号ＣＭＹＫをドットのＯＮ／ＯＦＦ信号に変換する。ハーフトーン処理は、印刷時間や印刷品位のレベル等のハーフトーン処理条件毎にハーフトーンを用意しておき、要求に応じて切り替える。
【００２３】
以上説明した色処理によれば、印刷媒体や印刷品位などの印刷条件や、色再現の目標や色域圧縮方針などの色再現条件に応じて、好適な色再現が実現できる。
【００２４】
（光沢むらの抑制方法）
次に、光沢むらとその抑制方法について説明する。図５は、画像が印刷された印刷媒体の断面を示す模式図である。５０１はトナーやインクなどの色材、５０２は印刷媒体を示している。図５（Ａ）は画像のハイライト部において、印刷媒体５０２の一部を色材５０１が覆っている様子を示す。ハイライト部では、色材量が増えるほど画像表面に占める色材５０１の面積が増加する。一般に色材５０１の表面反射は印刷媒体５０２の表面反射よりも大きい。よって、ハイライト部では色材量が増えるほど表面反射が大きくなり、その結果、光沢感が高くなる。一方、図５（Ｂ）は画像のシャドウ部において、印刷媒体５０２の全体を色材５０１が覆っている様子を示す。シャドウ部では、色材量が増えるほど色材の重なり度合いが増すことによって画像表面の凹凸が大きくなる。表面の凹凸が大きくなると、光が乱反射して写像性が低下する。よって、シャドウ部では色材量が増えるほど写像性が低下し、その結果、光沢感が低くなる。以上のように、色材の量によって画像の光沢度が変わり、光沢むらが発生する。
【００２５】
図７は、色材量と光沢感との関係を示す模式図である。図中の横軸は色材量を示し、縦軸は光沢感を示す。上述したように、色材量の少ないハイライト部では、色材量の増加に伴って表面反射が大きくなり光沢感は高くなる。一方、色材が印刷媒体表面を覆い尽くすと、逆に色材量の増加に伴って表面の凹凸が大きくなり光沢感が低くなる。ここで、色材量の取り得る範囲を図中のＡからＢの範囲に限定すると、光沢感のばらつきを示す△Ｇを△Ｇ’へと減少させることができ、光沢むらが抑制できる。一方で、色材量を制限すると、再現できる色が減少して色域は小さくなる。つまり、色再現に利用する色を限定して色域を縮小することで、光沢むらを抑制することができる。本発明は、印刷装置で再現できる色を全て利用するのではなく、利用する色域を限定し、光沢むらを抑制する。
【００２６】
（色変換テーブル作成装置の構成）
図１１は、本実施形態に係る色変換テーブル作成装置のハードウェア構成を示すブロック図である。図１１において、ＣＰＵ１１０１は、ＲＡＭ１１０２及びＲＯＭ１１０３に記憶されたプログラムに従ってこの色変換テーブル作成装置全体の動作を制御する。ＲＡＭ１１０２は、ＣＰＵ１１０１のメインメモリとして使用され、ＣＰＵ１１０１により実行されるプログラムがロードされる。また、ＲＡＭ１１０２は、ＣＰＵ１１０１による制御動作時に各種データを一時的に保存するワークエリアを提供する。ＲＯＭ１１０３は、ブートプログラムや各種データを不揮発に記憶している。入力部１１０４はキーボード、マウス等のポインティングデバイスを有し、ユーザの操作による各種データの入力に使用される。表示部１１０５は、ＣＲＴや液晶などの表示ユニットを有し、処理対象のデータや後述するユーザインタフェース（以下、ＵＩと表記する）画面等の表示に使用される。外部記憶装置１１０６は大容量の記憶装置で、オペレーティング・システム（ＯＳ）、各種アプリケーションプログラムやデータなどが予めインストールされている。各プログラムの起動が指示されると、そのプログラムはＲＡＭ１１０２にロードされて実行される。ネットワークインターフェース１１０７は、ＬＡＮ等の通信回線とのインターフェースを制御する。このインターフェース１１０７を介して、色変換テーブルの作成に必要な各種データや、作成した色変換テーブルを入力部４１１との間で送受信する。
【００２７】
図１２は、本実施形態に係る色変換テーブル作成装置の機能構成を示すブロック図である。図１２に示す各種格納部は、前述したＲＡＭ１１０２によって実装される。また、各種条件やパラメータ等は、予め外部記憶装置１１０６に記憶されている。その他の各部を構成する機能は、本実施例では、上記ＣＰＵ１１０１と各部のプログラムによって実装されているが、ハードウェアで構成されていても良い。
【００２８】
本実施形態に係る色変換テーブル作成装置は、制御部１２００、データ入力部１２０１、データ出力部１２０２を含む。また、各種格納部として、印刷条件格納部１２０３、プリンタ色再現特性格納部１２０４、光沢むら抑制パラメータ格納部１２０５、色変換条件格納部１２０６を含む。さらに、プリンタ色域格納部１２０７、ターゲット色域格納部１２０８、限定プリンタ色域格納部１２０９、データ格納部１２１０、色変換テーブル格納部１２１１を含む。またさらに、色域算出部１２１２、限定プリンタ色域設定部１２１３、色信号生成部１２１４、ターゲット色特性変換部１２１５、色域圧縮変換部１２１６、プリンタ色再現特性変換部１２１７を含む。制御部１２００は、データの入出力や色信号変換などの制御を行う。データ入力部１２０１は、制御部１２００の指示により、外部から各種データを入力して所定の格納部に格納する。データ出力部１２０２は、制御部１２００の指示により、色変換テーブル格納部１２１１に格納された色変換テーブルを、外部（例えば、前記画像処理装置４１の入力部４１１）に出力する。印刷条件格納部１２０３は、データ入力部１２０１が入力した色分解テーブルやハーフトーン等の印刷条件を格納する。プリンタ色再現特性格納部１２０４は、データ入力部１２０１が入力したプリンタ色再現特性記述テーブルを格納する。光沢むら抑制パラメータ格納部１２０５は、データ入力部１２０１が入力した光沢むら抑制パラメータを格納する。色変換条件格納部１２０６は、データ入力部１２０１が入力したターゲット色特性記述テーブルや色域圧縮変換テーブル等の色変換条件を格納する。プリンタ色域格納部１２０７は、色域算出部１２１２が算出したプリンタ色域を格納する。ターゲット色域格納部１２０８は、色域算出部１２１２が算出したターゲット色域を格納する。限定プリンタ色域格納部１２０９は、限定プリンタ色域設定部１２１３が設定した限定プリンタ色域を格納する。データ格納部１２１０は、色信号生成部１２１４やターゲット色特性変換部１２１５、色域圧縮変換部１２１６が生成、変換した色信号を格納する。色変換テーブル格納部１２１１は、色信号生成部１２１４が生成した色信号とプリンタ色再現特性変換部１２１７が変換した色信号を所定の色変換テーブルの形式で格納する。色域算出部１２１２は、制御部１２００の指示により、プリンタ色再現特性格納部１２０４に格納されたプリンタ色再現特性記述テーブルからプリンタの色域を算出し、プリンタ色域格納部１２０７に格納する。また、色域算出部１２１２は、制御部１２００の指示により、色変換条件格納部１２０６に格納されたターゲット色特性記述テーブルからターゲットの色域を算出し、ターゲット色域格納部１２０８に格納する。限定プリンタ色域設定部１２１３は、制御部１２００の指示により、プリンタ色域格納部１２０７に格納されたプリンタ色域と、光沢むら抑制パラメータ格納部１２０５に格納された光沢むら抑制パラメータとから限定プリンタ色域を算出する。算出された限定プリンタ色域は、限定プリンタ色域格納部１２０９に格納される。色信号生成部１２１４は、制御部１２００の指示により、離散的な入力色信号ＲＧＢを生成し、データ格納部１２１０および色変換テーブル格納部１２１１に格納する。ターゲット色特性変換部１２１５は、制御部１２００の指示により、データ格納部１２１０に格納された入力色信号ＲＧＢをターゲット色彩値ＬＡＢに変換し、データ格納部１２１０に格納する。この際、色変換条件格納部１２０６に格納されたターゲット色特性記述テーブルを参照する。色域圧縮変換部１２１６は、制御部１２００の指示により、データ格納部１２１０に格納されたターゲット色彩値ＬＡＢを限定プリンタ色域内の色彩値Ｌ’Ａ’Ｂ’に変換し、データ格納部１２１０に格納する。この際、色変換条件格納部１２０６に格納された色域圧縮変換テーブルとターゲット色域格納部１２０８に格納されたターゲット色域と限定プリンタ色域格納部１２０９に格納された限定プリンタ色域とを参照する。プリンタ色再現特性変換部１２１７は、制御部１２００の指示により、データ格納部１２１０に格納された限定プリンタ色域内の色彩値Ｌ’Ａ’Ｂ’をプリンタの色信号Ｒ’Ｇ’Ｂ’に変換し、色変換テーブル格納部１２１１に格納する。この際、プリンタ色再現特性格納部１２０４に格納されたプリンタ色再現特性記述テーブルを参照する。
【００２９】
（フローチャート）
図６は、本実施形態に係る色変換テーブルの作成手順を示すフローチャートである。図１２に示した構成の色変換テーブル作成装置は、以下のステップで色変換テーブルを作成する。
【００３０】
まず、ステップＳ６０１において、カラープリンタの印刷条件を取得する。ここで、印刷条件とは、上記色分解処理１０４で利用する色分解テーブル、および、上記ハーフトーン処理１０５で利用するハーフトーンの種類である。ステップＳ６０１では、手動で、または予め定めた値で設定した印刷媒体の種類や、許容できる総色材量等の条件に最適な色分解テーブルを取得する。また、ステップＳ６０１では、印刷速度を重視するか印刷品位を重視するか等の条件を手動で、または予め定めた値で設定し、当該条件に最適なハーフトーンを取得する。なお、手動での設定については後述する。
【００３１】
次に、ステップＳ６０２において、プリンタ色再現特性記述テーブルを取得する。プリンタ色再現特性記述テーブルは、プリンタの色再現特性に関する情報を格納し、プリンタ色再現特性変換１０３で用いるテーブルである。プリンタ色再現特性記述テーブルは、ステップＳ６０１で取得した色分解テーブルおよびハーフトーンを用いて色再現特性を取得するためのカラーパッチチャートを印刷し、このカラーパッチを測色することで作成し、取得する。上記カラーパッチチャートは、離散的なプリンタ色信号Ｒ’Ｇ’Ｂ’のカラーパッチで構成される。例えば、各カラーパッチに対応するプリンタ色信号Ｒ’Ｇ’Ｂ’の組み合わせは、各色信号９スライスの７２９個である。組み合わせの一例は、（Ｒ’、Ｇ’、Ｂ’）＝（０，０，０）、（０，０，３２）、（０，０，６４）、…（０，０，２５５）、（０、３２、０）、（０、３２、３２）、…（２５５，２５５，２５５）である。また、プリンタ色再現特性記述テーブルは、Ｎｅｕｇｅｂａｕｅｒ方程式等の理論式によって、離散的なプリンタ色信号Ｒ’Ｇ’Ｂ’に関する色彩値Ｌ’Ａ’Ｂ’を計算することで取得してもよい。
【００３２】
次に、ステップＳ６０３において、光沢むら抑制パラメータを取得する。光沢むら抑制パラメータは、印刷する際に、プリンタで再現できる色域の中で、利用する色域をどの程度限定するのかに関係するパラメータであり、詳細は後述する。光沢むら抑制パラメータにより、プリンタで再現できる色域の極一部のみを利用する場合、すなわち、利用する色域を大幅に限定する場合、光沢むらは大きく改善するが、コントラストや高彩度色の色再現性などは悪化する。逆に、プリンタで再現できる色域のほとんどの範囲を利用する場合、すなわち、利用する色域をあまり限定しない場合、コントラストや高彩度色の色再現性はほとんど悪化しないが、光沢むらはあまり改善しない。
【００３３】
次に、ステップＳ６０４において、色変換条件を取得する。色変換条件とは、前述したターゲット色特性変換１０１で利用するターゲット色特性記述テーブルまたは変換式、および、色域圧縮変換１０２で利用する色域圧縮変換テーブルである。ステップＳ６０４では、色再現の目標などの条件を手動で、または予め定めた値で設定し、設定した条件に最適な色再現特性記述テーブル（または変換式）を取得する。また、ステップＳ６０４では、色域圧縮方針などの条件を手動で、または予め定めた値で設定することにより、設定した条件に最適な色域圧縮変換テーブルを取得する。
【００３４】
次に、ステップＳ６０５において、ステップＳ６０２で取得したプリンタ色再現特性記述テーブルに基づいて、プリンタ色域を算出する。
【００３５】
次に、ステップＳ６０６において、ステップＳ６０４で取得したターゲット色特性記述テーブルに基づいて、ターゲット色域を算出する。
【００３６】
次に、ステップＳ６０７において、Ｓ６０５で取得したプリンタ色域とステップＳ６０３で取得した光沢むら抑制パラメータとに基づいて、限定プリンタ色域を修正し、設定する。限定プリンタ色域は、光沢むらを抑制するために、プリンタ色域の一部を制限するよう修正することで、利用する色を限定した色域である。限定プリンタ色域についての詳細は後述する。
【００３７】
次に、ステップＳ６０８において、離散的な入力色信号ＲＧＢを生成する。
【００３８】
次に、ステップＳ６０９において、上記ターゲット色特性変換１０１の変換処理を行う。すなわち、ステップＳ６０４で取得したターゲット色特性記述テーブルまたは変換式に基づき、ステップＳ６０８で生成した入力色信号ＲＧＢをターゲットの色彩値ＬＡＢに変換する。
【００３９】
次に、ステップＳ６１０において、色域圧縮変換１０２の変換処理を行う。ただし、プリンタ色域の代わりにステップＳ６０７で取得した限定プリンタ色域を利用する。すなわち、ステップＳ６０６で取得したターゲット色域と、ステップＳ６０７で取得した限定プリンタ色域と、ステップＳ６０４で取得した色域圧縮変換テーブルとに基づき変換処理を行う。具体的には、ステップＳ６０９で変換したターゲットの色彩値ＬＡＢを上記限定プリンタ色域内の色彩値Ｌ’Ａ’Ｂ’に変換する。
【００４０】
次に、ステップＳ６１１において、上記プリンタ色再現特性変換１０３の変換処理を行う。すなわち、ステップＳ６０２で取得したプリンタ色再現特性記述テーブルに基づき、ステップＳ６１０で変換した色彩値Ｌ’Ａ’Ｂ’をプリンタの色信号Ｒ’Ｇ’Ｂ’に変換する。
【００４１】
次に、ステップＳ６１２において、ステップＳ６０８で生成した入力色信号ＲＧＢとステップＳ６１１で変換した色信号Ｒ’Ｇ’Ｂ’とを色変換テーブルに格納する。
【００４２】
次に、ステップＳ６１３において、全ての入力色信号の処理が終了したか判断する。全ての入力色信号の処理が終了した場合は、ステップＳ６１４に進む。処理が終了していない場合は、ステップＳ６０８に戻る。
【００４３】
最後にステップＳ６１４において、完成した色変換テーブルを出力して終了する。
【００４４】
（限定プリンタ色域の設定方法）
次に、上記ステップＳ６０７における限定プリンタ色域の設定方法について詳細に説明する。図８は、限定プリンタ色域の設定方法を示す模式図であり、Ｌ＊ａ＊ｂ＊色空間における等色相断面（Ｌ＊Ｃ＊平面）を示す。横軸は彩度（Ｃ＊）、縦軸は明度（Ｌ＊）である。また、図８（Ａ）の斜線部８０１は上記ステップＳ６０５で算出したプリンタ色域、図８（Ｂ）の斜線部８０２は限定プリンタ色域を示す。図８において、点ＯはＬ軸上の所定の定点、点ａはプリンタ色域８０１の最外郭上の点、点ｂはＫを１以下の所定値である定数とする時、点Ｏと点ｂとを結ぶ線分ＯＢの長さが点Ｏと点ａとを結ぶ線分ＯＡの長さのＫ倍となるような点である。図８（Ｂ）に示すように、本実施形態の限定プリンタ色域８０２は、点ａがプリンタ色域８０１の最外郭上を移動する時に点ｂが描く線と明度軸とで囲われた領域である。ここで定数Ｋは、ステップＳ６０３で取得する光沢むら抑制パラメータであり、取得したＫが小さいほど限定プリンタ色域は小さくなるよう修正され、より強く光沢むらを抑制することが可能となる。
【００４５】
本設定方法によれば、ハイライト、シャドウおよび高彩度色を含まない限定プリンタ色域を簡易に設定することができる。
【００４６】
（ＵＩ）
図９は、印刷条件を取得する印刷条件取得ＵＩの一例を示す。上述したように、本実施形態の色変換テーブル作成方法はプリンタの色域情報を利用する。プリンタや印刷媒体の色域は印刷条件によって異なり、色域の算出には、例えば、上記印刷条件によって印刷したカラーパッチチャートの測色結果が利用される。印刷条件取得ＵＩは、カラーパッチチャートの印刷条件を取得するために用いられる。
【００４７】
本実施形態の印刷条件取得ＵＩは、用紙種類選択リスト９０１、最大色材量選択リスト９０２、ハーフトーン設定スライドバー９０３、チャート印刷ボタン９０４、キャンセルボタン９０５、マウスカーソル９０６を有する。用紙種類選択リスト９０１には、光沢紙、コート紙、普通紙、画用紙等の用紙の種類がプリセットされており、マウスカーソル９０６等を用いたユーザによる指定で印刷に使用する用紙が選択されると、この用紙に好適な色分解テーブルが設定される。最大色材量リスト９０２には、４００％、３００％、２００％、１５０％等の値がプリセットされており、用紙の種類と同様、用紙の最大色材量が選択されると、選択された最大色材量に好適な色分解テーブルが設定される。ハーフトーン設定スライドバー９０３は、ハーフトーン処理条件を設定するスライドバーであり、マウスカーソル９０６等でスライドバーを移動させて印刷速度と印刷品位とのバランスを設定すると、このバランスに好適なハーフトーンが設定される。マウスカーソル９０６等でチャート印刷ボタン９０４が選択されると、上記で設定された色分解テーブルおよびハーフトーンを用いて、カラーパッチチャートが印刷される。キャンセルボタン９０６が選択されると、色分解テーブルやハーフトーンの設定はキャンセルされる。
【００４８】
図１０は、色変換条件および光沢むら抑制パラメータを取得する色変換・光沢むら抑制パラメータ取得ＵＩの一例を示す。本実施形態における色変換・光沢むら抑制条件取得ＵＩは、ターゲット色再現リスト１００１、色域圧縮方針リスト１００２、光沢むら抑制パラメータ設定スライドバー１００３を有する。さらに、ＯＫボタン１００４、キャンセルボタン１００５、マウスカーソル１００６を有する。ターゲット色再現リスト１００１は、リストの項目として「ｓＲＧＢ」、「プリンタ／光沢紙」、「デジタルカメラ」等の色再現の目標がプリセットされている。マウスカーソル１００６等で色再現の目標が選択されると、選択された項目に対応したターゲット色特性記述テーブルが設定される。色域圧縮方針リスト１００２は、「色差最小」、「写真調」、「階調重視」等の色域圧縮方針がプリセットされており、マウスカーソル１００６等で色域圧縮方針が選択されると、選択された項目に対応した色域圧縮変換テーブルが設定される。光沢むら抑制パラメータ設定スライドバー１００３は、光沢むら抑制パラメータを設定するスライドバーである。マウスカーソル１００６等により、このスライドバー１００３を移動させて光沢むらの抑制と利用する色域の広さのバランスを設定すると、このバランスに好適な光沢むら抑制条件として、例えば上述したＫの値が設定される。ＯＫボタン１００４が選択されると上記の各条件が設定され、キャンセルボタン１００５が選択されると、各条件の設定はキャンセルされる。
【００４９】
本実施形態により、印刷媒体や印刷品位などの印刷条件や、色再現の目標や色域圧縮方針などの色再現条件に応じて、作成した色変換テーブルを利用して印刷した画像が好適な色再現となるように、色変換テーブルを作成できる。さらに、光沢むら抑制の要求レベルや、印刷条件に応じて、作成した色変換テーブルを利用して印刷した画像の光沢むらを抑制するように、色変換処理を行うことが可能となる。
【００５０】
＜実施形態２＞
前述した実施形態では、限定プリンタ色域の設定方法として、ハイライト、シャドウおよび高彩度色を含まない限定プリンタ色域を簡易に設定する構成を説明した。本実施形態では、色材量の多い色の制限と、色材量の少ない色の制限を別々に設定できる構成について説明する。なお、本発明のその他の構成については前述した実施形態と同様である。
【００５１】
図１３は、色材量の多い色を含まない限定プリンタ色域の設定方法を説明する模式図である。図１３は、Ｌ＊ａ＊ｂ＊色空間における等色相断面（Ｌ＊Ｃ＊平面）を示す。図の横軸は彩度（Ｃ＊）、縦軸は明度（Ｌ＊）である。また、図１３（Ａ）の斜線部１３０１は上記ステップＳ６０５で算出したプリンタ色域、図１３（Ｂ）の斜線部１３０２は限定プリンタ色域を示す。図１３において、△Ｌ１は光沢むらの抑制レベルに関する値、彩度Ｃｍはプリンタ色域１３０１の最大彩度を表す。点ｅ、点ｆおよび点ｇは、０以上Ｃｍ以下の彩度Ｃにおいて、それぞれプリンタ色域１３０１の最低明度点、最大明度点、および最低明度点ｅの明度に△Ｌ１を加算した点である。図１３（Ｂ）に示すように、本実施形態における限定プリンタ色域１３０２は、点ｆと点ｇとを結ぶ線分ｆｇが彩度Ｃを０からＣｍまで変化させた時に描く領域である。ここで△Ｌ１は、ステップＳ６０３で取得する光沢むら抑制パラメータであり、取得した△Ｌ１が大きいほど限定プリンタ色域は小さくなり、より強力に光沢むらを抑制することが可能となる。本設定方法によれば、高彩度色や低明度色などの色材量の多い色を含まない限定プリンタ色域が設定できる。
【００５２】
図１４は、色材量の少ない色を含まない限定プリンタ色域の設定方法を説明する模式図である。図１４は、Ｌ＊ａ＊ｂ＊色空間において、プリンタ色域の最大明度点ｈを含みａ＊ｂ＊平面に直行する断面を示す。上記最大明度点ｈを通りａ＊ｂ＊平面に垂直な直線とａ＊ｂ＊平面との交点を点ｉとする。図１４の横軸は彩度に相当する上記点ｉとの距離ｚ、縦軸は明度（Ｌ＊）である。また、図１４（Ａ）の斜線部１４０１は上記ステップＳ６０５で算出したプリンタ色域、図１４（Ｂ）の斜線部１４０２は限定プリンタ色域を示す。図１４（Ｂ）において、△Ｌ２、△Ｌ３は光沢むらの抑制レベルに関する値、明度Ｌｋは最大明度点ｈの明度から上記△Ｌ２と△Ｌ３とを減じた明度である。点ｊは上記最大明度点ｈから明度を△Ｌ２だけ減じた点、点ｋはプリンタ色域１４０１の最外郭上の点で明度がＬｋの点である。図１４（Ｂ）に示すように、本実施形態における限定プリンタ色域１４０２は、プリンタ色域１４０１の内部であって、点ｊと点ｋとを結ぶ直線よりも明度が小さい領域である。ここで△Ｌ２は、ステップＳ６０３で取得する光沢むら抑制パラメータであり、取得した△Ｌ２が大きいほど限定プリンタ色域は小さくなり、より強力に光沢むらを抑制することが可能となる。また、△Ｌ３は所定値である定数であり、ステップＳ６１０の色域圧縮変換で明度のつぶれが発生しないように設定される。ここで、色域圧縮変換における明度のつぶれについて図１４（Ｃ）を用いて説明する。図１４（Ｃ）は、△Ｌ３＝０の時の限定プリンタ色域１４０２と、ターゲット色域２０１から当該限定プリンタ色域１４０２への色域圧縮変換の様子を示す模式図である。線２０１はステップＳ６０６で算出したターゲット色域の最外郭を示す線であり、点ＯはＬ軸上の所定の定点であり、点ｍおよび点ｑはターゲット色域の最外郭上の点である。点ｍの示すターゲット色は点ｎの示す限定プリンタ色域内の色に変換され、点ｑの示すターゲット色は点ｒの示す限定プリンタ色域内の色に変換される。この時、点ｍが示すターゲット色の明度Ｌｍは、点ｑが示すターゲット色の明度Ｌｑよりも大きいが、点ｎが示す明度（Ｌｊ）と点ｒの示す明度（Ｌｊ）は等しい。このことは、色域圧縮変換によって明度差がなくなり、明度のつぶれが発生することを示す。本設定方法では、△Ｌ３を適切に設定することによって、明度のつぶれが発生しないように、色材量の少ない色を含まない限定プリンタ色域を設定できる。
【００５３】
なお、限定プリンタ色域において、色材量の多い色と色材量の少ない色の両方を制限する場合は、図１３（Ｂ）に示した限定プリンタ色域と図１４（Ｂ）示した限定プリンタ色域との重複領域を色域とすればよい。
【００５４】
また、光沢むら抑制パラメータ△Ｌ１と△Ｌ２は、どちらか一方のみを設定するように構成しても良い。例えば、グレイラインの明度と光沢感との関係を用いて、△Ｌ１と△Ｌ２の一方から他方を求めることができる。図１５は、グレイラインの明度と光沢感との関係を示す模式図である。図１５の横軸は明度（Ｌ＊）、縦軸は光沢感であり、明度Ａはグレイラインの最低明度、明度Ｄはグレイラインの最大明度、Ｇｍはグレイラインの最大光沢感を示す。図１５（Ａ）を用いて、△Ｌ１から△Ｌ２を求める方法を説明する。まずステップＳ６０３で光沢むら抑制パラメータ△Ｌ１を取得し、グレイラインの最低明度Ａに当該△Ｌ１を加えて明度Ｂを求める。次に、明度と光沢感の関係から、明度Ｂに対応する光沢感Ｇを求め、さらに光沢感Ｇに対応するハイライト側の明度Ｃを求める。最後に、グレイラインの最大明度Ｄから当該明度Ｃを減じて△Ｌ２を求める。このとき、限定プリンタ色域の明度域はＢ以上Ｃ以下の△Ｌであり、光沢感のばらつきは△Ｇである。また、△Ｌ２から△Ｌ１を求めることも同様にして可能である。また、△Ｌ１および△Ｌ２の別の設定方法として、図１５の光沢感のばらつき△Ｇから△Ｌ１および△Ｌ２を設定することもできる。この場合、まず、上記ステップＳ６０３で光沢むら抑制パラメータ△Ｇを取得し、グレイラインの最大光沢感Ｇｍから△Ｇを減じて光沢感Ｇを求める。次に、光沢感Ｇに対応するシャドウ側の明度Ｂとハイライト側の明度Ｃを求める。最後に、明度Ｂからグレイラインの最低明度Ａを減じて△Ｌ１を求め、グレイラインの最大明度Ｄから当該明度Ｃを減じて△Ｌ２を求める。
【００５５】
本実施形態における上記の各方法で求めた△Ｌ１と△Ｌ２の組み合わせによれば、光沢感のばらつきを△Ｇ以下に抑制するに当たり、限定プリンタ色域の大きさを最大にすることができる。図１５（Ｂ）に示すように、△Ｌ２を本方法で求めた値よりも大きい△Ｌ２’に設定すると、限定プリンタ色域の明度上限（Ｄ−△Ｌ２’）は明度Ｃよりも小さい明度Ｅになる。その結果、光沢感のばらつきは△Ｇで変わらないが、明度域は△Ｌよりも小さい△Ｌ’になる。すなわち、△Ｌ２を本方法で求めた値よりも大きい△Ｌ２’に設定すると、限定プリンタ色域が小さくなる。逆に、△Ｌ２を本方法で求めた値よりも小さい△Ｌ２’’に設定すると、図１５（Ｃ）に示すように、限定プリンタ色域の明度上限（Ｄ−△Ｌ２’’）は明度Ｃよりも大きい明度Ｆになる。その結果、明度域は△Ｌよりも大きい△Ｌ’’になり、限定プリンタ色域の大きさは大きくなるが、一方で光沢感のばらつきも△Ｇよりも大きい△Ｇ’’になってしまう。すなわち、本実施例の方法で求めた△Ｌ１と△Ｌ２の組み合わせによれば、光沢感のばらつきを所定の値（△Ｇ）以下に抑制するに当たり、限定プリンタ色域の大きさを最大にすることができる。
【００５６】
図１６は、本実施形態の光沢むら抑制パラメータを取得する色変換・光沢むら抑制パラメータ取得ＵＩの一例を示す。尚、実施形態１の色変換・光沢むら抑制パラメータ取得ＵＩと同じ構成には同じ番号を付与し、説明を省略する。本実施形態における色変換・光沢むら抑制条件取得ＵＩは、ターゲット色再現リスト１００１、色域圧縮方針リスト１００２、シャドウ部光沢むら抑制パラメータ設定スライドバー１６０１、ハイライト部光沢むら抑制パラメータ設定スライドバー１６０２を有する。さらに、ＯＫボタン１００４、キャンセルボタン１００５、マウスカーソル１００６を有する。シャドウ部光沢むら抑制パラメータ設定スライドバー１６０１は、シャドウ部の光沢むら抑制パラメータを設定するスライドバーである。マウスカーソル１００６等により、このスライドバー１６０１を移動させて光沢むらの抑制と利用する色域の広さのバランスを設定すると、このバランスに好適な光沢むら抑制条件として、例えば上述した△Ｌ１等が設定される。ハイライト部光沢むら抑制パラメータ設定スライドバー１６０２は、ハイライト部の光沢むら抑制パラメータを設定するスライドバーである。シャドウ部と同様、マウスカーソル１００６等により、光沢むら抑制パラメータとして、例えば、上述した△Ｌ２等が設定される。
【００５７】
＜その他の実施形態＞
本発明の目的は、前述した実施形態の機能を実現するソフトウエアのプログラムコードを用いて達成してもよい。このプログラムコード記録した記録媒体を、システムあるいは装置に供給し、そのシステムあるいは装置のコンピュータ（またはＣＰＵまたはＭＰＵ）が記録媒体に格納されたプログラムコードを読み出し実行する。この場合、記憶媒体から読み出されたプログラムが前述した実施形態の機能を実現することとなり、そのプログラムコードを記憶した記憶媒体は本発明を構成することになる。
【００５８】
コンピュータ可読のプログラムコードを供給するための記憶媒体として、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤ等を用いることができる。
【００５９】
また、前述したプログラムコードの指示に基づき、コンピュータ上で稼動しているＯｐｅｒａｔｉｎｇ  Ｓｙｓｔｅｍ（ＯＳ）などが実際の処理の一部または全部を行ってもよい。
【００６０】
さらに、記憶媒体から読み出されたプログラムコードが、コンピュータに挿入された機能拡張ボードやコンピュータに接続された機能拡張ユニットによって前述した実施形態の機能が実現されてもよい。この場合、前述したプログラムコードが、これらの機能拡張ボードや機能拡張ユニットに備わるメモリに書きこまれた後、そのプログラムコードの指示に基づき、その機能拡張ボードや機能拡張ユニットに備わるＣＰＵなどが実際の処理の一部または全部を行う。
【図面の簡単な説明】
【００６１】
【図１】図１は、印刷システムにおける色信号変換処理のブロック図である。
【図２】図２は、色域圧縮方法の一例を示す模式図である。
【図３】図３は、色域圧縮変換テーブルの一例を示す模式図である。
【図４】図４は、色変換テーブルを利用した印刷システムの構成図である。
【図５】図５は、画像が印刷された印刷媒体の断面の模式図である。
【図６】図６は、色変換テーブル作成手順を示すフローチャートである。
【図７】図７は、色材量と光沢感との関係を示す模式図である。
【図８】図８は、限定プリンタ色域の設定方法を示す模式図である。
【図９】図９は、印刷条件取得ＵＩの一例を示す図である。
【図１０】図１０は、色変換・光沢むら抑制パラメータ取得ＵＩの一例を示す図である。
【図１１】図１１は、色変換テーブル作成装置のハードウェア構成を示すブロック図である。
【図１２】図１２は、色変換テーブル作成装置の機能構成を示すブロック図である。
【図１３】図１３は、限定プリンタ色域の取得方法を示す模式図である。
【図１４】図１４は、限定プリンタ色域の取得方法を示す模式図である。
【図１５】図１５は、グレイラインの明度と光沢感との関係を示す模式図である。
【図１６】図１６は、色変換・光沢むら抑制パラメータ取得ＵＩの一例を示す図である。
【図１】
2008301344.tif 000003
【図２】
2008301344.tif 000004
【図３】
2008301344.tif 000005
【図４】
2008301344.tif 000006
【図５】
2008301344.tif 000007
【図６】
2008301344.tif 000008
【図７】
2008301344.tif 000009
【図８】
2008301344.tif 000010
【図９】
2008301344.tif 000011
【図１０】
2008301344.tif 000012
【図１１】
2008301344.tif 000013
【図１２】
2008301344.tif 000014
【図１３】
2008301344.tif 000015
【図１４】
2008301344.tif 000016
【図１５】
2008301344.tif 000017
【図１６】
2008301344.tif 000018